(57)【要約】【課題】高温度の源泉熱を利用して、浴槽用温泉と地下水の温水を効率よく供給し、設備のメンテナンスフリーを可能にした温泉と温水供給方法及びその装置を提供する【解決手段】源泉供給パイプの管内源泉と、地下水の供給パイプの管内地下水に、電磁界を与えて小粒子化と含有浮遊物にアニオン（マイナスの電位をおびた原子）を付与した後、熱交換器に導入して源泉と地下水との熱交換を行い、降温した源泉を浴槽用温泉として取り出し、昇温した地下水を温水タンクに供給することを特徴とする温泉と温水の供給方法とその装置。【選択図】図１
2014206359.tif 000002
【特許請求の範囲】
【請求項１】
源泉供給パイプの管内源泉と、地下水の供給パイプの管内地下水に、０．１〜１４ｋＨｚの電磁界を与えて小粒子化と含有浮遊物にアニオン（マイナスの電位をおびた原子）を付与した後、源泉と地下水は熱交換器に導入して熱交換を行い、降温した源泉を浴槽用温泉として取り出し、昇温した地下水を温水タンクに供給することを特徴とする温泉と温水の供給方法。
【請求項２】
高温度温泉又は蒸気温泉の供給パイプの外周及び地下水の供給パイプの外周に、０．１〜１４ｋＨｚの電磁界を与えて小粒子化と含有浮遊物にアニオン（マイナスの電位をおびた原子）を付与する装置の電磁コイルを周設し、電磁コイルを周設した以降の源泉供給パイプを接続し地下水供給パイプを接続する熱交換器を設け、熱交換器からの降温した源泉を浴槽用温泉として一時貯留する温泉タンクを設け、熱交換器からの昇温した地下水を一時貯留する温水タンクを設けたことを特徴とする温泉と温水の供給装置。
【発明の詳細な説明】
【技術分野】
【０００１】  本発明は、温泉宿、温泉ホテル、銭湯温泉等において高温度の源泉熱を利用して、浴槽用の温泉と、温泉洗い場用の温水とを同時に、効率よく安価に製造して供給する温泉・温水供給方法及びその装置に関するものである。
【背景技術】
【０００２】  ８０度以上の源泉は、そのまま水道や地下水などの常温水と混合して浴槽用温泉として利用され、１００度を超える高温度の蒸気温泉は、汽水タンクに供給して液化した後、水道や地下水などの常温水と混合して浴槽用温泉として利用されている。
また地下深くから取り出す１００度を超える高温度の地熱蒸気は、地熱発電用蒸気として発電所に供給し、液化した熱水は有害な浮遊物が含有されているため再び地下に復水されている。【０００３】而して、温泉の泉質は○独特の火山の噴気口の香りを思わせる鉱物臭がある塩化物泉、○白濁の硫黄泉、○単純泉、○重曹食塩泉、○水に通して温泉を造成する蒸気だけ源泉などがあるが、いずれの温泉も配管、ポンプ、造成タンクなどの各種タンクの内壁に含有浮遊物が早期に強固に付着して送通機能障害を起こす。このためのメンテナンスには多大な時間と労力と費用を要すると共に設備寿命が短命である。【０００４】このためホテル、旅館、及び一般銭湯は、温泉源があるにも関わらず、水道水をボイラーで飽和蒸気にして熱交換器に導入し、この熱交換器に地下水を供給して前記飽和蒸気と地下水との熱交換を行い、熱交換器からの昇温地下水を浴槽用として取り出している。
しかし、水道水や地下水は、温泉に比し含有浮遊物が少ないとはいえ、配管、ポンプ、タンクの内壁等への付着堆積するため定期的なメンテナンスが必要である。
【発明の概要】
【発明が解決しようとする課題】
【０００５】  本発明は、前記配管、ポンプ、タンク等の設備の内壁等への含有浮遊物の付着堆積を防止してメンテナンスをフリーにすることは勿論のこと、中温度、高温度の原泉、蒸気源泉の含有熱を利用して、浴槽用温泉と地下水からの温水を効率よく安価に安定して供給する温泉・温水供給方法及びその装置を提供する。
【課題を解決するための手段】
【０００６】  前記課題を解決する発明の特徴とする技術は次の（１）〜（２）の通りである。
（１）、源泉の供給パイプの管内源泉と、地下水の供給パイプの管内地下水に、０．１〜１５ｋＨｚの電磁界を与えて小粒子化と含有浮遊物にアニオン（マイナスの電位をおびた原子）を付与（ドールマンショック）した後、熱交換器に導入して源泉と地下水との熱交換を行い、熱交換後の源泉を浴槽用温泉として取り出し、熱交換後の昇温した地下水を温水タンクに供給することを特徴とする温泉・温水の供給方法。【０００７】（２）、源泉供給パイプの外周及び地下水供給パイプの外周に、０．１〜１５ｋＨｚ電磁界を与えて小粒子化と含有浮遊物にアニオン（マイナスの電位をおびた原子）を付与する装置の電磁コイルを周設し、電磁コイルを周設した以降の源泉の供給パイプと地下水供給パイプを接続する熱交換器を設け、熱交換器からの降温した源泉を浴槽用温泉として一時貯留する温泉タンクを設け、熱交換器からの昇温した地下水を一時貯留する温水タンクを設けたことを特徴とする温泉・温水の供給装置。
【発明の効果】
【０００８】  本発明の温泉と温水供給方法及びその装置は、前記構成により次の優れた作用効果を呈して、配管、タンク、機器等への含有浮遊物の付着堆積を防止して、前記メンテナンスをフリーにして温泉と温水供給設備の長寿命化を可能にし、温泉と温水の同時生産効率を大幅に高めたものである。【０００９】  即ち、例えば８０度以上の高温度源泉又は蒸気源泉の場合は、その源泉熱を一部利用して７０度以上の浴槽用温泉を得て温泉タンクに貯留し、旅館や銭湯の温泉浴槽に連続して安定供給することを可能にしたものである。これと同時に１２℃〜１５℃の地下水を前記高温度源泉により６０℃前後の温水に昇温して温泉タンクを介して旅館や銭湯の温泉浴室の洗い場に連続して安定供給することを安価に可能にしたものである。
【図面の簡単な説明】
【００１０】
【図１】本発明の実施例１を示すシステムフロー説明図である。
【発明を実施するための形態】
【００１１】  本発明を実施するための一形態を後述の実施例により詳細に説明する。
【実施例１】
【００１２】  本実施例１は、前記特徴の（１）の方法と（２）の装置であり、これらを図１に示すシステムフローにより同時に説明する。
温泉と温水の供給装置は、高温度源泉又は蒸気源泉の源泉供給装置１００と、地下水供給装置２００と、熱交換器３００と、温泉供給装置４００と、温水供給装置５００とからなる。【００１３】  源泉供給装置１００は、源泉１０１からポンプ１０２により８０〜１００℃の源泉を８００〜１３００ｌ／ｍｉｎ汲み上げ、源泉供給パイプ１０３から熱交換器３００に源泉を供給する。源泉供給パイプ１０３には、管内源泉に電磁界を与えて小粒子化と含有浮遊物にアニオンを付与する装置（商品名：ドールマンショックとも言う）１０４の電磁コイル１０４−１を周設してあり、電磁コイル１０４−１から０．１〜１５ｋＨｚの電磁界を電磁コイル１０４−１周設部の源泉の小粒子化と含有浮遊物にアニオンを付与して、パイプや熱交換器、タンク、浴槽との全ての接触面に対して含有浮遊物を付着堆積させることが無い。
ドールマンショック１０４の仕様は表１の通りである。【００１４】
【表１】
2014206359.tif 000003
地下水供給装置２００は、地下水源２０１からポンプ２０２により１２〜１５℃の地下水を８００〜１３００ｌ／ｍｉｎ汲み上げ、地下水供給パイプ２０３から熱交換器３００に地下水を供給する。地下水供給パイプ２０３には前記と同様機能のドールマンショック２０４の電磁コイル２０４−１を周設してある。これで電磁コイル２０４−１から０．１〜１５ｋＨｚの電磁界を電磁コイル２０４−１周設部の地下水の小粒子化と含有浮遊物にアニオンを付与して、パイプや熱交換器、タンク、浴槽との全ての接触面に対して含有浮遊物を付着堆積させることが無い。また熱交換器３００との間の地下水供給装置２００には滅菌装置２０５とフィルター２０６を設けて地下水を滅菌・濾過し清浄化する。
ドールマンショック２０４の仕様は表２の通りである。【００１５】
【表２】
2014206359.tif 000004
熱交換器３００は、ＳＵＳ製のパイプ収容室３０２の一方を源泉供給パイプ１０３に接続し、他方を温泉供給装置４００の温泉供給パイプ４０１に接続する。
ＳＵＳ製熱交換パイプ３０１の一方に地下水供給パイプ２０３を接続し、他方を温水供給装置５００の温水供給パイプ５０１に接続する。
これで熱交換器３００は、パイプ収容室３０２中の源泉流に対して、製熱交換パイプ３０１内の地下水流は向流状態での熱交換作用をして効率良く７０℃の温泉を８００〜１３００ｌ／ｍｉｎと、６０℃の温水を８００〜１３００ｌ／ｍｉｎ得ることができる。
温泉供給装置４００は、温泉供給パイプ４０１に温泉タンク４０２を介して温泉供給先の温泉浴槽６００に７０℃前後の温泉を供給する。【００１６】  温水供給装置５００は、温水供給パイプ５０１に温泉タンク５０２を介して温泉浴槽６００近くの洗い場６０１等に温水を供給する。
次に本実施例による具体例と作用効果を表３に紹介する。
この表から明らかのように本発明の具体例は比較例に比べ、配管、タンク、機器等への含有浮遊物の付着堆積を防止して、これらのメンテナンスをフリーにして設備の長寿命化を可能にし、温泉と温水の同時生産効率を大幅に高めたものである。【００１７】
【表３】
2014206359.tif 000005
【産業上の利用可能性】
【００１８】  本発明は、前述の優れた効果を有するため、ホテル、旅館、銭湯業界における温泉事業に多大な貢献をもたらすものである。
【符号の説明】
【００１９】１００：源泉供給装置
１０１：源泉
１０２：ポンプ
１０３：源泉供給パイプ
１０４：ドールマンショック
１０４−１：電磁コイル
２００：地下水供給装置
２０１：地下水源
２０２：ポンプ
２０３：地下水供給パイプ
２０４：ドールマンショック
２０４−１：電磁コイル
２０５：滅菌装置
２０６：フィルター
３００：熱交換器
３０１：熱交換パイプ
３０２：収容室
４００：温泉供給装置
４０１：温泉供給パイプ
４０２：温泉タンク
５００：温水供給装置
５０１：温水供給パイプ
５０２：温泉タンク
６００：温泉浴槽
６０１：洗い場
【図１】
2014206359.tif 000006